(57)【要約】【課題】入力される映像信号に基づいて好ましい表示モードにて映像を表示することができる表示システム、表示方法、およびディスプレイを提供する。【解決手段】表示システム１は、複数の画面１１４Ａ，１１４Ｂと、複数の画面を制御するためのシステムコントローラとを備える。システムコントローラは、複数の画面間における所定のポイントの画素値が同じであるか否かを判断し、複数の画面間で所定のポイントの画素値が同じであると判断したときに、複数の画面に１つの映像を拡大して表示させ、複数の画面間で所定のポイントの画素値が異なると判断したときに、複数の画面の各々に映像を独立して表示させる。【選択図】図２
2011221229.tif 000002
【特許請求の範囲】
【請求項１】
複数の画面と、
前記複数の画面を制御するためのシステムコントローラとを備え、
前記システムコントローラは、
前記複数の画面間における所定のポイントの画素値が同じであるか否かを判断し、
前記複数の画面間で前記所定のポイントの画素値が同じであると判断したときに、前記複数の画面に１つの映像を拡大して表示させ、
前記複数の画面間で前記所定のポイントの画素値が異なると判断したときに、前記複数の画面の各々に映像を独立して表示させる、表示システム。
【請求項２】
前記システムコントローラは、
前記複数の画面間で前記所定のポイントの画素値の差が所定値未満である場合に、前記複数の画面間で前記所定のポイントの画素値が同じであると判断し、
前記複数の画面間で前記所定のポイントの画素値の差が所定値以上である場合に、前記複数の画面間で前記所定のポイントの画素値が異なると判断する、請求項１に記載の表示システム。
【請求項３】
前記システムコントローラは、
前記複数の画面間で入力される映像の解像度が同じであるか否かを判断し、
前記複数の画面間で入力される映像の解像度が同じであると判断したときに、前記画素値に関する判断を実行し、
前記複数の画面間で入力される映像の解像度が異なると判断したときに、前記複数の画面の各々に１つの映像を独立して表示させる、請求項１または２に記載の表示システム。
【請求項４】
前記複数の画面の何れか１つは、前記システムコントローラと共にディスプレイに含まれ、
前記複数の画面のその他の画面の各々は、前記システムコントローラからの指令に基づいて前記画面を制御するためのコントローラと共にディスプレイに含まれている、請求項１から３のいずれかに記載の表示システム。
【請求項５】
前記複数の画面の各々は、前記システムコントローラからの指令に基づいて前記画面を制御するためのコントローラと共にディスプレイに含まれている、請求項１から３のいずれかに記載の表示システム。
【請求項６】
前記複数の画面の各々は、複数の前記所定のポイントを含む、請求項１から５のいずれかに記載の表示システム。
【請求項７】
複数の画面と、前記複数の画面を制御するためのシステムコントローラと、を含む表示システムにおける表示方法であって、
前記システムコントローラが、前記複数の画面間における所定のポイントの画素値が同じであるか否かを判断するステップと、
前記システムコントローラが、前記複数の画面間で前記所定のポイントの画素値が同じであると判断したときに、前記複数の画面に１つの映像を拡大して表示させるステップと、
前記システムコントローラが、前記複数の画面間で前記所定のポイントの画素値が異なると判断したときに、前記複数の画面の各々に映像を独立して表示させるステップとを備える、表示方法。
【請求項８】
他のディスプレイと通信可能なディスプレイであって、
前記ディスプレイと前記他のディスプレイとを制御するためのシステムコントローラを備え、
前記システムコントローラは、
前記ディスプレイの画面と前記他のディスプレイの画面とにおける所定のポイントの画素値が同じであるか否かを判断し、
前記ディスプレイの画面と前記他のディスプレイの画面との間で前記所定のポイントの画素値が同じであると判断したときに、前記複数の画面に１つの映像を拡大して表示させ、
前記ディスプレイの画面と前記他のディスプレイの画面との間で前記所定のポイントの画素値が異なると判断したときに、前記複数の画面の各々に映像を独立して表示させる、ディスプレイ。
【発明の詳細な説明】
【技術分野】
【０００１】
本発明は、入力される映像信号に基づいて映像を表示するための表示システム、表示方法、および表示装置に関し、特に複数の画面が表示している内容に基づいて当該複数の画面を制御するための表示システム、表示方法、およびディスプレイに関する。
【背景技術】
【０００２】
複数の画面を制御するための技術が知られている。たとえば、複数のディスプレイを用いて、あたかも１つのディスプレイであるかのように、１つの映像を拡大して表示させる技術（エンラージ表示機能）が知られている。
【０００３】
より詳細には、特開平７−２６１７２１号公報（特許文献１）には、マルチ映像システムが開示されている。特開平７−２６１７２１号公報（特許文献１）によると、映像信号及び文字情報等を入力し、信号処理し、デジタル映像信号を出力するマスターパソコンと、該デジタル映像信号を複数分配する映像分配装置と、該分配されるデジタル映像信号を記憶し、部分拡大等の信号処理する複数のパソコンと、該複数のパソコンからの映像出力信号を表示し、表示部が隣接するように配置する複数のモニタとで構成される。入力する映像信号とマスターパソコンのキーボード等の入力手段より入力する情報、または、記憶装置に記憶する情報等を処理し、マスターパソコンにより複数のパソコンを制御して、表示位置等を変えて、複数のモニタで表示するようにしている。
【０００４】
また、特開平４−２８０２９１号公報（特許文献２）には、マルチ映像システムが開示されている。特開平４−２８０２９１号公報（特許文献２）によると、供給された映像信号に所定の処理を行う画像処理部と表示画面部とから構成され複数種類の走査周波数の映像信号に対応して映像表示が可能とされた複数個の映像表示処理手段を有し、この各映像表示処理手段の各表示画面部が隣接するように配列されてマルチモニタ画面とされるようにシステムを構成する。
【先行技術文献】
【特許文献】
【０００５】
【特許文献１】特開平７−２６１７２１号公報
【特許文献２】特開平４−２８０２９１号公報
【発明の概要】
【発明が解決しようとする課題】
【０００６】
しかしながら、複数のディスプレイが、それぞれ、複数種類の映像を表示するモード（通常モード）と、複数のディスプレイが、まるで１つのディスプレイであるかのように、１種類の映像を拡大して表示するモード（エンラージモード）とが考えられる。いずれの表示モードが好ましいかは、それぞれのディスプレイに入力される映像信号、すなわちそれぞれのディスプレイに表示されるべき映像によって異なるものである。そのため、複数のディスプレイのユーザ（管理者）は、表示される映像を確認しながら、上記のいずれの表示モードによって映像を表示することが好ましいかを判断したり、表示モードを設定したり切り替えたりする必要があった。
【０００７】
本発明は、かかる問題を解決するためになされたものであり、その目的は、入力される映像信号に基づいて好ましい表示モードにて映像を表示することができる表示システム、表示方法、およびディスプレイを提供することである。
【課題を解決するための手段】
【０００８】
この発明のある局面に従うと、表示システムが提供される。表示システムは、複数の画面と、複数の画面を制御するためのシステムコントローラとを備える。システムコントローラは、複数の画面間における所定のポイントの画素値が同じであるか否かを判断し、複数の画面間で所定のポイントの画素値が同じであると判断したときに、複数の画面に１つの映像を拡大して表示させ、複数の画面間で所定のポイントの画素値が異なると判断したときに、複数の画面の各々に映像を独立して表示させる。
【０００９】
好ましくは、システムコントローラは、複数の画面間で所定のポイントの画素値の差が所定値未満である場合に、複数の画面間で所定のポイントの画素値が同じであると判断し、複数の画面間で所定のポイントの画素値の差が所定値以上である場合に、複数の画面間で所定のポイントの画素値が異なると判断する。
【００１０】
好ましくは、システムコントローラは、複数の画面間で入力される映像の解像度が同じであるか否かを判断し、複数の画面間で入力される映像の解像度が同じであると判断したときに、画素値に関する判断を実行し、複数の画面間で入力される映像の解像度が異なると判断したときに、複数の画面の各々に１つの映像を独立して表示させる。
【００１１】
好ましくは、複数の画面の何れか１つは、システムコントローラと共にディスプレイに含まれる。複数の画面のその他の画面の各々は、システムコントローラからの指令に基づいて画面を制御するためのコントローラと共にディスプレイに含まれている。
【００１２】
好ましくは、複数の画面の各々は、システムコントローラからの指令に基づいて画面を制御するためのコントローラと共にディスプレイに含まれている。
【００１３】
複数の画面の各々は、複数の所定のポイントを含む。
この発明の別の局面に従うと、複数の画面と、複数の画面を制御するためのシステムコントローラと、を含む表示システムにおける表示方法が提供される。システムコントローラが、複数の画面間における所定のポイントの画素値が同じであるか否かを判断するステップと、システムコントローラが、複数の画面間で所定のポイントの画素値が同じであると判断したときに、複数の画面に１つの映像を拡大して表示させるステップと、システムコントローラが、複数の画面間で所定のポイントの画素値が異なると判断したときに、複数の画面の各々に映像を独立して表示させるステップとを備える。
【００１４】
この発明の別の局面に従うと、他のディスプレイと通信可能なディスプレイが提供される。ディスプレイは、ディスプレイと他のディスプレイとを制御するためのシステムコントローラを備える。システムコントローラは、ディスプレイの画面と他のディスプレイの画面との間における所定のポイントの画素値が同じであるか否かを判断し、ディスプレイの画面と他のディスプレイの画面との間で所定のポイントの画素値が同じであると判断したときに、複数の画面に１つの映像を拡大して表示させ、ディスプレイの画面と他のディスプレイの画面との間で所定のポイントの画素値が異なると判断したときに、複数の画面の各々に映像を独立して表示させる。
【発明の効果】
【００１５】
以上のように、この発明によれば、入力される映像信号に基づいて好ましい表示モードにて映像を表示することができる表示システム、表示方法、およびディスプレイが提供される。
【図面の簡単な説明】
【００１６】
【図１】表示システムに含まれる４つのディスプレイのそれぞれが異なる映像を表示する状態を示すイメージ図である。
【図２】表示システムに含まれる４つのディスプレイのそれぞれが同じ映像を表示する状態を示すイメージ図である。
【図３】表示システムに含まれる９つのディスプレイのそれぞれが同じ映像を表示する状態を示すイメージ図である。
【図４】本実施の形態に係る第１のディスプレイの構成を表わすブロック図である。
【図５】本実施の形態に係る第２のディスプレイの構成を表わすブロック図である。
【図６】本実施の形態に係る表示システムのネットワーク構成を示すイメージ図である。
【図７】本実施の形態に係る表示システムにおける第１のディスプレイにおける処理手順を示す第１のフローチャートである。
【図８】本実施の形態に係る表示システムにおける第１のディスプレイにおける処理手順を示す第２のフローチャートである。
【図９】本実施の形態に係る表示システムにおける第１のディスプレイにおける処理手順を示す第３のフローチャートである。
【図１０】第４のディスプレイの映像の解像度が第１のディスプレイと異なる場合の、ディスプレイの画面遷移を示すイメージ図である。
【図１１】第２のディスプレイと第３のディスプレイの映像が第１のディスプレイと異なる場合の、複数のディスプレイの画面遷移を示すイメージ図である。
【図１２】第１〜第４のディスプレイの映像が全て同じである場合の、複数のディスプレイの画面遷移を示すイメージ図である。
【図１３】本実施の形態に係る表示システムにおける第２のディスプレイにおける処理手順を示すフローチャートである。
【図１４】通常の表示システムを示すイメージ図である。
【発明を実施するための形態】
【００１７】
以下、図面を参照しつつ、本発明の実施の形態について説明する。以下の説明では、同一の部品には同一の符号を付してある。それらの名称および機能も同じである。したがって、それらについての詳細な説明は繰り返さない。
【００１８】
＜表示システム１の動作概要＞
まず、本実施の形態に係る表示システムの全体構成について説明する。以下で説明される本実施の形態に係る表示システムは、複数のディスプレイを含むものである。しかしながら、１つのディスプレイが、互いに独立して映像を表示可能な複数のエリアを含むものであってもよい。
【００１９】
また、以下で説明される本実施の形態に係る表示システムでは、１つのディスプレイ（マスターディスプレイ）が、他のディスプレイ（スレーブディスプレイ）を制御するものである。しかしながら、ディスプレイとは異なる他の装置（パーソナルコンピュータやサーバ）が、全てのディスプレイを制御するものであってもよい。
【００２０】
図１および図２は、本実施の形態に係る表示システム１の外観を示す概略図である。より詳細には、図１は、表示システム１に含まれる４つのディスプレイ１００Ａ，１００Ｂ，１００Ｃ，１００Ｄのそれぞれが異なる映像を表示する状態を示すイメージ図である。換言すれば、図１は、４つのディスプレイ１００Ａ，１００Ｂ，１００Ｃ，１００Ｄのそれぞれに異なる映像信号が入力された状態を示すイメージ図である。
【００２１】
図２は、表示システム１に含まれる４つのディスプレイ１００Ａ，１００Ｂ，１００Ｃ，１００Ｄのそれぞれが同じ映像を表示する状態を示すイメージ図である。換言すれば、図２は、４つのディスプレイ１００Ａ，１００Ｂ，１００Ｃ，１００Ｄのそれぞれに同じ映像信号が入力された状態を示すイメージ図である。
【００２２】
図１および図２を参照して、本実施の形態に係る表示システム１においては、第１のディスプレイ１００Ａが、表示システム１を制御するためのマスターディスプレイである。一方、第２のディスプレイ１００Ｂと第３のディスプレイ１００Ｃと第４のディスプレイ１００Ｄとは、第１のディスプレイ１００Ａによって制御されるスレーブディスプレイである。
【００２３】
第１のディスプレイ１００Ａの画面１１４Ａと、第２のディスプレイ１００Ｂの画面１１４Ｂと、第３のディスプレイ１００Ｃの画面１１４Ｃと、第４のディスプレイ１００Ｄの画面１１４Ｄには、予め画素値を測定するための測定位置（所定のポイント）が設定されている。画素値とは、たとえば、Ｒ（レッド）、Ｇ（グリーン）、Ｂ（ブルー）のそれぞれに関する輝度値（たとえば、０〜２５５）をいう。
【００２４】
本実施の形態においては、各々の画面１１４Ａ，１１４Ｂ，１１４Ｃ，１１４Ｄに４つの測定位置が設定されている。ただし、各々の画面１１４Ａ，１１４Ｂ，１１４Ｃ，１１４Ｄに設定される測定位置の個数は、４つに限定するものではない。
【００２５】
本実施の形態においては、ディスプレイ１００Ａ，１００Ｂ，１００Ｃ，１００Ｄの画面１１４Ａ，１１４Ｂ，１１４Ｃ，１１４Ｄの各々のサイズは、１９２０ｄｏｔ×１０８０ｄｏｔである。そして、画面１１４Ａ，１１４Ｂ，１１４Ｃ，１１４Ｄにおける測定位置Ａの座標は、（４８０，２７０）である。測定位置Ｂの座標は、（１４４０，２７０）である。測定位置Ｃの座標は、（４８０，８１０）である。測定位置Ｄの座標は、（１４４０，８１０）である。すなわち、画素値を測定するための測定位置は、全ての画面１１４Ａ，１１４Ｂ，１１４Ｃ，１１４Ｄの間で同じ場所である。
【００２６】
本実施の形態においては、測定位置の各々は、１つの画素のみを含む。しかしながら、測定位置（所定のポイント）は、複数個の画素を含むエリアであってもよい。この場合には、当該エリアの画素値のＲ，Ｇ，Ｂそれぞれの平均値などを画素値として利用することができる。
【００２７】
第１のディスプレイ１００Ａは、画面１１４Ａの測定位置Ａ，Ｂ，Ｃ，Ｄの各々の画素値を取得する。より詳細には、第１のディスプレイ１００Ａに入力される映像信号に基づいて、当該映像信号によって表わされる映像を画面１１４Ａに表示したと仮定した場合の、測定位置Ａ，Ｂ，Ｃ，Ｄの各々の画素値を取得する。同様にして、第１のディスプレイ１００Ａは、第２のディスプレイ１００Ｂから、画面１１４Ｂの測定位置Ａ，Ｂ，Ｃ，Ｄの各々の画素値を取得する。第１のディスプレイ１００Ａは、第３のディスプレイ１００Ｃから、画面１１４Ｃの測定位置Ａ，Ｂ，Ｃ，Ｄの各々の画素値を取得する。
【００２８】
第１のディスプレイ１００Ａは、第４のディスプレイ１００Ｄから、画面１１４Ｄの測定位置Ａ，Ｂ，Ｃ，Ｄの各々の画素値を取得する。そして、第１のディスプレイ１００Ａは、画面１１４Ａの測定位置Ａの画素値と、画面１１４Ｂの測定位置Ａの画素値と、画面１１４Ｃの測定位置Ａの画素値と、画面１１４Ｄの測定位置Ａの画素値とが同じであるか否かを判断する。なお、第１のディスプレイ１００Ａは、画素値の差異が所定値未満である場合には、画素値が同じであると判断してもよい。
【００２９】
同様に、第１のディスプレイ１００Ａは、画面１１４Ａ，１１４Ｂ，１１４Ｃ，１１４Ｄの測定位置Ｂの画素値が同じであるか否かを判断する。第１のディスプレイ１００Ａは、画面１１４Ａ，１１４Ｂ，１１４Ｃ，１１４Ｄの測定位置Ｃの画素値が同じであるか否かを判断する。第１のディスプレイ１００Ａは、画面１１４Ａ，１１４Ｂ，１１４Ｃ，１１４Ｄの測定位置Ｄの画素値が同じであるか否かを判断する。
【００３０】
図１（ａ）を参照して、画面１１４Ａ，１１４Ｂ，１１４Ｃ，１１４Ｄの測定位置Ａの画素値が全て同じではない場合、画面１１４Ａ，１１４Ｂ，１１４Ｃ，１１４Ｄの測定位置Ｂの画素値が全て同じではない場合、画面１１４Ａ，１１４Ｂ，１１４Ｃ，１１４Ｄの測定位置Ｃの画素値が全て同じではない場合、または画面１１４Ａ，１１４Ｂ，１１４Ｃ，１１４Ｄの測定位置Ｄの画素値が全て同じではない場合、ディスプレイ１００Ａ，１００Ｂ，１００Ｃ，１００Ｄのいずれかに、他のディスプレイと異なる映像信号が入力されている可能性が高い。
【００３１】
この場合、図１（ｂ）を参照して、第１のディスプレイ１００Ａは、ディスプレイ１００Ａ，１００Ｂ，１００Ｃ，１００Ｄの各々に、独立して（別々に）、入力される映像信号に基づいて映像を表示させる。すなわち、第１のディスプレイ１００Ａは、入力される映像信号に基づいて、当該映像信号によって表わされる映像を画面１１４Ａの全面に表示する。第２のディスプレイ１００Ｂは、第１のディスプレイ１００Ａからの制御信号に応じて、入力される映像信号に基づいて、当該映像信号によって表わされる映像を画面１１４Ｂの全面に表示する。第３のディスプレイ１００Ｃは、第１のディスプレイ１００Ａからの制御信号に応じて、入力される映像信号に基づいて、当該映像信号によって表わされる映像を画面１１４Ｃの全面に表示する。第４のディスプレイ１００Ｄは、第１のディスプレイ１００Ａからの制御信号に応じて、入力される映像信号に基づいて、当該映像信号によって表わされる映像を画面１１４Ｄの全面に表示する。
【００３２】
一方、図２（ａ）を参照して、画面１１４Ａ，１１４Ｂ，１１４Ｃ，１１４Ｄの測定位置Ａの画素値が全て同じであって、画面１１４Ａ，１１４Ｂ，１１４Ｃ，１１４Ｄの測定位置Ｂの画素値が全て同じであって、画面１１４Ａ，１１４Ｂ，１１４Ｃ，１１４Ｄの測定位置Ｃの画素値が全て同じであって、画面１１４Ａ，１１４Ｂ，１１４Ｃ，１１４Ｄの測定位置Ｄの画素値が全て同じである場合、全てのディスプレイ１００Ａ，１００Ｂ，１００Ｃ，１００Ｄに同じ映像信号が入力されている可能性が高い。この判断に関する信頼度は、画素値の差異のための所定値の大きさを調整することによって、調整することができる。
【００３３】
この場合、図２（ｂ）を参照して、第１のディスプレイ１００Ａは、ディスプレイ１００Ａ，１００Ｂ，１００Ｃ，１００Ｄに、１つのディスプレイとして、入力される映像信号に基づいて１つの映像を拡大して表示させる（エンラージ表示）。すなわち、表示システム１の左上に配置される第１のディスプレイ１００Ａは、入力される映像信号に基づいて、当該映像信号によって表わされる映像の左上部分を拡大して、画面１１４Ａの全面に表示する。表示システム１の右上に配置される第２のディスプレイ１００Ｂは、第１のディスプレイ１００Ａからの制御信号に応じて、入力される映像信号に基づいて、当該映像信号によって表わされる映像の右上部分を拡大して、画面１１４Ｂの全面に表示する。表示システム１の左下に配置される第３のディスプレイ１００Ｃは、第１のディスプレイ１００Ａからの制御信号に応じて、入力される映像信号に基づいて、当該映像信号によって表わされる映像の左下部分を拡大して、画面１１４Ｃの全面に表示する。表示システム１の右下に配置される第４のディスプレイ１００Ｄは、第１のディスプレイ１００Ａからの制御信号に応じて、入力される映像信号に基づいて、当該映像信号によって表わされる映像の右下部分を拡大して、画面１１４Ｄの全面に表示する。
【００３４】
このように、本実施の形態に係る表示システム１は、複数のディスプレイ１００Ａ，１００Ｂ，１００Ｃ，１００Ｄのそれぞれに入力される映像信号に基づいて、当該複数のディスプレイ１００Ａ，１００Ｂ，１００Ｃ，１００Ｄの測定位置Ａ，Ｂ，Ｃ，Ｄの画素値が同じであるか否かを判断する。そして、表示システム１は、測定位置Ａ，Ｂ，Ｃ，Ｄの画素値が、当該複数のディスプレイ１００Ａ，１００Ｂ，１００Ｃ，１００Ｄ間で同じである場合に、複数のディスプレイを用いて１つの映像をエンラージ表示する。表示システム１は、測定位置Ａ，Ｂ，Ｃ，Ｄの画素値が、当該複数のディスプレイ１００Ａ，１００Ｂ，１００Ｃ，１００Ｄ間で同じでない場合に、複数のディスプレイ１００Ａ，１００Ｂ，１００Ｃ，１００Ｄの各々に１つの映像を表示させる。すなわち、複数のディスプレイ１００Ａ，１００Ｂ，１００Ｃ，１００Ｄの各々が、独立して（別々に）、１つの映像を表示する。
【００３５】
なお、図１および図２においては、表示システム１が、マトリクス状に配置される４つのディスプレイ１００Ａ，１００Ｂ，１００Ｃ，１００Ｄを含む場合について説明した。しかしながら、表示システム１は、他の個数のディスプレイを含むものであってもよい。たとえば、上記および下記の構成は、図３に示すような、９つのディスプレイ１００Ａ，１００Ｂ，１００Ｃ，１００Ｄ，１００Ｅ，１００Ｆ，１００Ｇ，１００Ｈ，１００Ｉを含む表示システム１に適用することができる。
【００３６】
すなわち、第１のディスプレイ１００Ａは、９つのディスプレイ１００Ａ，１００Ｂ，１００Ｃ，１００Ｄ，１００Ｅ，１００Ｆ，１００Ｇ，１００Ｈ，１００Ｉのそれぞれに入力される映像信号に基づいて、当該９つのディスプレイの測定位置Ａ，Ｂ，Ｃ，Ｄの画素値が同じであるか否かを判断する。そして、図３（ａ）に示すように、測定位置Ａ，Ｂ，Ｃ，Ｄの画素値が当該９つのディスプレイ間で同じである場合に、図３（ｂ）に示すように、第１のディスプレイ１００Ａは、９つのディスプレイを用いて１つの映像をエンラージ表示する。測定位置Ａ，Ｂ，Ｃ，Ｄの画素値が、当該９つのディスプレイ間で同じでない場合に、９つのディスプレイの各々に１つの映像を表示させる。
【００３７】
以下、このような機能を実現するための構成について詳述する。
＜表示システム１の第１のディスプレイ１００Ａのハードウェア構成＞
以下では、表示システム１の具体的構成の一態様について説明する。まず、マスターディスプレイである第１のディスプレイ１００Ａの構成について説明する。図４は、本実施の形態に係る第１のディスプレイ１００Ａの構成を表わすブロック図である。
【００３８】
図４を参照して、第１のディスプレイ１００Ａは、主たる構成要素として、第１の映像入力端子１１１Ａと、第１の映像入力処理部１１２Ａと、第１の信号変換処理部１０１Ａと、第１の映像出力処理部１１３Ａと、第１の画面１１４Ａと、システムコントローラ１１５Ａと、ディスプレイインターフェイス１０８Ａと、ＰＣインターフェイス１０９Ａとを含む。
【００３９】
第１の映像入力処理部１１２Ａは、第１の映像入力端子１１１Ａからの第１の映像信号を受け付けて、当該第１の映像信号をシステムコントローラ１１５Ａと第１の信号変換処理部１０１Ａとに入力する。
【００４０】
第１の信号変換処理部１０１Ａは、処理部１０２Ａと、通信部１０３Ａと、ＲＧＢデータへの変換部１０４Ａと、ＲＧＢデータの読み出し部１０５Ａと、変換されたＲＧＢデータを一時的に格納するバッファ１０６Ａとを含む。
【００４１】
処理部１０２Ａは、映像入力処理部１１２Ａからの映像信号に基づいて、第１のディスプレイ１００Ａに入力されている映像の解像度を取得する。処理部１０２Ａは、通信部１０３Ａを介して、システムコントローラ１１５Ａへと第１のディスプレイ１００Ａの解像度を受け渡す。
【００４２】
処理部１０２Ａは、映像入力処理部１１２Ａからの映像信号に基づいて、第１のディスプレイ１００Ａに入力されている映像が第１の画面１１４Ａに表示された際における、測定位置Ａ，Ｂ，Ｃ，Ｄの画素値を取得する。処理部１０２Ａは、通信部１０３Ａを介して、システムコントローラ１１５Ａへと測定位置Ａ，Ｂ，Ｃ，Ｄの画素値を受け渡す。
【００４３】
第１の映像出力処理部１１３Ａは、制御部１１７Ａからの第１のモード（通常モード）を指定するための信号に基づいて、第１の画面１１４Ａに第１の映像を表示させる。第１の映像出力処理部１１３Ａは、制御部１１７Ａからの第２のモード（エンラージモード）を指定するための信号に基づいて、第１の画面１１４Ａの全体に第１の映像の左上部分を表示させる。
【００４４】
より詳細には、第１の映像出力処理部１１３Ａは、処理部１２５Ａと、通信部１２６Ａと、位置設定部１２７Ａと、拡大部１２９Ａとを含む。通信部１２６Ａは、システムコントローラ１１５Ａの通信部１１６Ａから第１あるいは第２のモードの指定を受信する。位置設定部１２７Ａは、第１の画面１１４Ａのうちの第１の映像を表示すべき範囲を決定する。
【００４５】
拡大部１２９Ａは、第１のモードの指定に基づいて、第１の映像を拡大して第１の画面１１４Ａ全体に表示させる。拡大部１２９Ａは、第２のモードの指定に基づいて、第１の映像の左上部を拡大して第１の画面１１４Ａ全体に表示させる。より詳細には、拡大部１２９Ａは、ディスプレイのＩＤと、表示システム１に含まれるディスプレイの個数を示す情報（ＮｕｍＯｆＭｕｌｔｉ）とに基づいて、入力される映像のどの部分を何倍に拡大すべきかを取得することができる。
【００４６】
第１の画面１１４Ａは、第１の映像出力処理部１１３Ａから入力される第１の映像信号に基づいて第１の映像あるいは第１の映像の左上部を表示する。
【００４７】
システムコントローラ１１５Ａは、通信部１１６Ａと、制御部１１７Ａと、記憶部１１８Ａとを含む。
【００４８】
通信部１１６Ａは、第１の映像入力処理部１１２Ａからの映像信号と、第１の信号変換処理部１０１Ａからの解像度および画素値とを制御部１１７Ａに入力する。通信部１１６Ａは、制御部１１７Ａからの指令や情報を、第１の映像出力処理部１１３Ａに入力する。通信部１１６Ａは、ディスプレイインターフェイス１０８ＡとＰＣインターフェイス１０９Ａとを介して、外部の機器からの指令や情報を制御部１１７Ａに入力したり、制御部１１７Ａからの指令や情報を外部の機器に送信したりする。
【００４９】
制御部１１７Ａは、ＣＰＵ（Central Processing Unit）などによって実現される。制御部１１７Ａは、記憶部１１８Ａのプログラムを実行することによって、第１のディスプレイ１００Ａの各部を制御する。ここでいうプログラムとは、たとえば、ＣＰＵにより直接実行可能なプログラムだけでなく、ソースプログラム形式のプログラム、圧縮処理されたプログラム、暗号化されたプログラム等を含む。
【００５０】
制御部１１７Ａは、ディスプレイインターフェイス１０８Ａと、ＰＣインターフェイス１０９Ａとを用いて、ＰＣ１５０（図６を参照。）や他のディスプレイ１０２Ｂ〜１０２Ｎとデータを送受信し合う。たとえば、制御部１１７Ａは、他のディスプレイ１０２Ｂ〜１０２Ｎから入力映像の解像度や測定位置の画素値を受信したり、他のディスプレイ１０２Ｂ〜１０２Ｎへとモードを指定するための信号を送信したりする。なお、制御部１１７Ａは、図示しないスイッチやリモコン信号送受信部などを介して、ユーザから各種の命令を受け付ける。
【００５１】
より詳細には、制御部１１７Ａは、通信部１１６Ａを介して、信号変換処理部１０１Ａから、第１のディスプレイ１００Ａに入力されている映像の解像度を取得して、記憶部１１８Ａに格納する。制御部１１７Ａは、通信部１１６Ａを介して、信号変換処理部１０１Ａから、第１のディスプレイ１００Ａに入力されている映像が第１の画面１１４Ａに表示された際における、測定位置Ａ，Ｂ，Ｃ，Ｄの画素値を取得して、記憶部１１８Ａに格納する。
【００５２】
制御部１１７Ａは、ディスプレイインターフェイス１０８Ａを用いて、他のディスプレイ１００Ｂ〜１００Ｎに入力されている映像の解像度を取得して、記憶部１１８Ａに格納する。制御部１１７Ａは、ディスプレイインターフェイス１０８Ａを用いて、他のディスプレイ１００Ｂ〜１００Ｎに入力されている映像が、それぞれの画面１１４に表示された際における、測定位置Ａ，Ｂ，Ｃ，Ｄの画素値を取得して、記憶部１１８Ａに格納する。
【００５３】
記憶部１１８Ａは、ＳＲＡＭ（Static  Random  Access  Memory）、ＮＶ−ＲＡＭ、ハードディスク、ＲＯＭ（Read  Only  Memory）、マスクＲＯＭ、ＥＰＲＯＭ（Erasable  Programmable  Read  Only  Memory）、ＥＥＰＲＯＭ（Electronically  Erasable  Programmable  Read-Only  Memory）、フラッシュＲＯＭなどによって実現される。記憶部１１８は、制御部１１７Ａによって実行されるプログラムや、制御部１１７Ａによるプログラムの実行により生成されたデータ（モードをするための情報）などを記憶する。
【００５４】
より詳細には、記憶部１１８Ａは、第１のディスプレイ１００Ａの第１の映像入力端子１１１Ａに入力される第１の映像信号に対応する横の画素数Ｒｅｓｏ＿Ｈ（０）および縦の画素数Ｒｅｓｏ＿Ｖ（０）を記憶する。記憶部１１８Ａは、表示システム１に含まれる他のディスプレイ１００Ｂ〜１００Ｎの映像入力端子に入力される映像信号に対応する横の画素数Ｒｅｓｏ＿Ｈ（ｎ）および縦の画素数Ｒｅｓｏ＿Ｖ（ｎ）も記憶する。
【００５５】
記憶部１１８Ａは、各ディスプレイ１００Ａ〜１００Ｎの画面１１４Ａ〜１１４Ｎの測定位置Ａの、Ｒ（レッド）の輝度値Ｐｏｉｎｔ＿Ｒ（０）（ｎ）と、Ｇ（レッド）の輝度値Ｐｏｉｎｔ＿Ｇ（０）（ｎ）と、Ｂ（ブルー）の輝度値Ｐｏｉｎｔ＿Ｂ（０）（ｎ）とを記憶する。同様に、記憶部１１８Ａは、各ディスプレイ１００Ａ〜１００Ｎの画面１１４Ａ〜１１４Ｎの測定位置ＢのＲ，Ｇ，Ｂの輝度値も記憶する。記憶部１１８Ａは、各ディスプレイ１００Ａ〜１００Ｎの画面１１４Ａ〜１１４Ｎの測定位置ＣのＲ，Ｇ，Ｂの輝度値も記憶する。記憶部１１８Ａは、各ディスプレイ１００Ａ〜１００Ｎの画面１１４Ａ〜１１４Ｎの測定位置ＤのＲ，Ｇ，Ｂの輝度値も記憶する。前述したように、本実施の形態においては、各画面１１４Ａ〜１１４Ｎの測定位置は４つとしているが、これに限定するものではない。
【００５６】
また、記憶部１１８Ａは、表示システム１に含まれるディスプレイの個数ＮｕｍＯｆＭｕｌｔｉや、第１のディスプレイ１００ＡのＩＤ（識別情報）などを記憶する。
【００５７】
制御部１１７Ａは、記憶部１１８Ａのデータを参照して、複数の画面１１４Ａ〜１１４Ｎの測定位置Ａの画素値が同じであるか否かを判断する。なお、制御部１１７Ａは、画素値の差異が所定値未満である場合には、画素値が同じであると判断してもよい。同様に、制御部１１７Ａは、複数の画面１１４Ａ〜１１４Ｎの測定位置Ｂの画素値が同じであるか否かを判断する。制御部１１７Ａは、複数の画面１１４Ａ〜１１４Ｎの測定位置Ｃの画素値が同じであるか否かを判断する。制御部１１７Ａは、複数の画面１１４Ａ〜１１４Ｎの測定位置Ｄの画素値が同じであるか否かを判断する。
【００５８】
図１（ａ）に示すように、制御部１１７Ａは、複数の画面１１４Ａ〜１１４Ｎの測定位置Ａの画素値が全て同じでない場合、複数の画面１１４Ａ〜１１４Ｎの測定位置Ｂの画素値が全て同じでない場合、複数の画面１１４Ａ〜１１４Ｎの測定位置Ｃの画素値が全て同じでない場合、または複数の画面１１４Ａ〜１１４Ｎの測定位置Ｄの画素値が全て同じでない場合、ディスプレイ１００Ｂ〜１００Ｎの各々に、第１のモードを指定するための信号を送信する。
【００５９】
制御部１１７Ａは、第１の映像出力処理部１１３Ａにも、第１のモードを指定するための信号を送信する。これによって、図１（ｂ）に示すように、複数のディスプレイ１００Ａ〜１００Ｎの各々は、画面１１４Ａ〜１１４Ｎの全面に、独立して、１つの映像を表示する。
【００６０】
一方、図２（ａ）を参照して、制御部１１７Ａは、複数の画面１１４Ａ〜１１４Ｎの測定位置Ａの画素値が全て同じであって、複数の画面１１４Ａ〜１１４Ｎの測定位置Ｂの画素値が全て同じであって、複数の画面１１４Ａ〜１１４Ｎの測定位置Ｃの画素値が全て同じであって、複数の画面１１４Ａ〜１１４Ｎの測定位置Ｄの画素値が全て同じである場合、ディスプレイ１００Ｂ〜１００Ｎの各々に、第２のモードを指定するための信号を送信する。
【００６１】
制御部１１７Ａは、映像出力処理部１１３Ａにも、第２のモードを指定するための信号を送信する。
【００６２】
より詳細には、本実施の形態に係る制御部１１７Ａは、第２のモードを指定するための信号とともに、入力される映像のどの部分を表示すべきかを決定するための情報を送信する。たとえば、個数ＮｕｍＯｆＭｕｌｔｉが４である場合、制御部１１７Ａは、ＩＤが２のディスプレイに信号を送信するときには、映像の右上の１／４を指定するための情報を送信する。たとえば、個数ＮｕｍＯｆＭｕｌｔｉが９である場合、制御部１１７Ａは、ＩＤが７のディスプレイに信号を送信するときには、映像の左下の１／９のエリアを指定するための情報を送信する。
【００６３】
これによって、図２（ｂ）または図３（ｂ）に示すように、複数のディスプレイ１００Ａ〜１００Ｎは、画面１１４Ａ〜１１４Ｎの全面に、１つの映像を表示することができる。すなわち、複数のディスプレイ１００Ａ〜１００Ｎの映像出力処理部１１３Ａ〜１１３Ｎが、入力された映像信号と上記の情報とに基づいて、当該映像信号に対応する映像の一部を画面１１４Ａ〜１１４Ｎの全面に表示する。
【００６４】
＜表示システム１の第２のディスプレイ１００Ｂのハードウェア構成＞
次に、スレーブディスプレイである第２のディスプレイ１００Ｂの構成について説明する。なお、第３のディスプレイ１００Ｃ〜第Ｎのディスプレイ１００Ｎの構成は、第２のディスプレイ１００Ｂと同様であるため、ここでは説明を繰り返さない。なお、システムコントローラ１１５Ａが、第１のディスプレイ１００Ａ〜第Ｎのディスプレイ１００Ｎに含まれない場合における、第１のディスプレイ１００Ａの構成も、第２のディスプレイ１００Ｂと同様であるため、ここでは説明を繰り返さない。
【００６５】
図５は、本実施の形態に係る第２のディスプレイ１００Ｂの構成を表わすブロック図である。図５を参照して、第２のディスプレイ１００Ｂは、主たる構成要素として、第２の映像入力端子１１１Ｂと、第２の映像入力処理部１１２Ｂと、第２の信号変換処理部１０１Ｂと、第２の映像出力処理部１１３Ｂと、第２の画面１１４Ｂと、第２のコントローラ１１５Ｂと、下流ディスプレイインターフェイス１０８Ｂと、上流ディスプレイインターフェイス１０９Ｂとを含む。
【００６６】
第２の映像入力処理部１１２Ｂは、第２の映像入力端子１１１Ｂからの第２の映像信号を受け付けて、当該第２の映像信号を第２のコントローラ１１５Ｂと第２の信号変換処理部１０１Ｂとに入力する。
【００６７】
第２の信号変換処理部１０１Ｂは、処理部１０２Ｂと、通信部１０３Ｂと、ＲＧＢデータへの変換部１０４Ｂと、ＲＧＢデータの読み出し部１０５Ｂと、変換されたＲＧＢデータを一時的に格納するバッファ１０６Ｂとを含む。
【００６８】
処理部１０２Ｂは、映像入力処理部１１２Ｂからの映像信号に基づいて、第２のディスプレイ１００Ｂに入力されている映像の解像度を取得する。処理部１０２Ｂは、通信部１０３Ｂを介して、コントローラ１１５Ｂへと解像度を受け渡す。
【００６９】
処理部１０２Ｂは、映像入力処理部１１２Ｂからの映像信号に基づいて、第２のディスプレイ１００Ｂに入力されている映像が第２の画面１１４Ｂに表示された際における、測定位置Ａ，Ｂ，Ｃ，Ｄの画素値を取得する。処理部１０２Ｂは、通信部１０３Ｂを介して、コントローラ１１５Ｂへと測定位置Ａ，Ｂ，Ｃ，Ｄの画素値を受け渡す。
【００７０】
第２の映像出力処理部１１３Ｂは、制御部１１７Ｂからの第１のモードを指定するための信号に基づいて、第２の画面１１４Ｂの全体に第２の映像を表示させる。第２の映像出力処理部１１３Ｂは、制御部１１７Ｂからの第２のモードを指定するための信号に基づいて、第２の画面１１４Ｂの全体に第２の映像の右上部分を表示させる。
【００７１】
より詳細には、第２の映像出力処理部１１３Ｂは、処理部１２５Ｂと、通信部１２６Ｂと、位置設定部１２７Ｂと、拡大部１２９Ｂとを含む。通信部１２６Ｂは、コントローラ１１５Ｂの通信部１１６Ｂから第１あるいは第２のモードの指定を受信する。位置設定部１２７Ｂは、第２の画面１１４Ｂのうちの第２の映像を表示すべき範囲を決定する。
【００７２】
拡大部１２９Ｂは、第１のモードの指定に基づいて、第２の映像を拡大して第２の画面１１４Ｂ全体に表示させる。拡大部１２９Ｂは、第２のモードの指定に基づいて、第２の映像の右上部を拡大して第２の画面１１４Ｂ全体に表示させる。より詳細には、拡大部１２９Ｂは、ディスプレイのＩＤと、表示システム１に含まれるディスプレイの個数を示す情報（ＮｕｍＯｆＭｕｌｔｉ）とに基づいて、入力される映像のどの部分を何倍に拡大すべきかを取得することができる。
【００７３】
第２の画面１１４Ｂは、第２の映像入力端子１１１Ｂに入力される第２の映像信号に基づいて第２の映像あるいは第２の映像の右上部を表示する。
【００７４】
コントローラ１１５Ｂは、通信部１１６Ｂと、制御部１１７Ｂと、記憶部１１８Ｂとを含む。
【００７５】
通信部１１６Ｂは、第２の映像入力処理部１１２Ｂからの映像信号と、第２の信号変換処理部１０１Ｂからの解像度および画素値とを制御部１１７Ｂに入力する。通信部１１６Ｂは、制御部１１７Ｂからの指令や情報を、第２の映像出力処理部１１３Ｂに入力する。通信部１１６Ｂは、下流ディスプレイインターフェイス１０８Ｂと上流ディスプレイインターフェイス１０９Ｂとを介して、外部の機器からの指令や情報を制御部１１７Ｂに入力したり、制御部１１７Ｂからの指令や情報を外部の機器に送信したりする。
【００７６】
制御部１１７Ｂは、ＣＰＵ（Central Processing Unit）などによって実現される。制御部１１７Ｂは、記憶部１１８Ｂのプログラムを実行することによって、第２のディスプレイ１００Ｂの各部を制御する。ここでいうプログラムとは、たとえば、ＣＰＵにより直接実行可能なプログラムだけでなく、ソースプログラム形式のプログラム、圧縮処理されたプログラム、暗号化されたプログラム等を含む。
【００７７】
制御部１１７Ｂは、下流ディスプレイインターフェイス１０８Ｂと、上流ディスプレイインターフェイス１０９Ｂとを用いて、他のディスプレイ１０２Ａ，１０２Ｃ〜１０２Ｎとデータを送受信し合う。たとえば、制御部１１７Ｂは、他のディスプレイ１０２Ｃ〜１０２Ｎから映像の解像度や測定位置の画素値を受信したり、第１のディスプレイ１００Ａに解像度と画素値とを送信したりする。制御部１１７Ｂは、第１のディスプレイ１００Ａからモードを指定するための信号を受信したり、他のディスプレイ１０２Ｃ〜１０２Ｎへとモードを指定するための信号を送信したりする。なお、制御部１１７Ｂは、図示しないスイッチやリモコン信号送受信部などを介して、ユーザから各種の命令を受け付ける。
【００７８】
より詳細には、制御部１１７Ｂは、通信部１１６Ｂを介して、信号変換処理部１０１Ｂから、第２のディスプレイ１００Ｂに入力されている映像の解像度を取得して、第１のディスプレイ１００Ａに送信する。制御部１１７Ｂは、通信部１１６Ｂを介して、信号変換処理部１０１Ｂから、第２のディスプレイ１００Ｂに入力されている映像が第２の画面１１４Ｂに表示された際における、測定位置Ａ，Ｂ，Ｃ，Ｄの画素値を取得して、第１のディスプレイ１００Ａに送信する。
【００７９】
記憶部１１８Ｂは、表示システム１に含まれるディスプレイの個数ＮｕｍＯｆＭｕｌｔｉや、第２のディスプレイ１００ＢのＩＤ（識別情報）などを記憶する。
【００８０】
図１（ａ）を参照して、制御部１１７Ｂは、第１のディスプレイ１００Ａから第１のモードを指定するための信号を受信する。これによって、図１（ｂ）に示すように、複数のディスプレイ１００Ａ〜１００Ｎの各々は、画面１１４Ａ〜１１４Ｎに、独立的に、１つの映像を表示する。
【００８１】
一方、図２（ａ）または図３（ａ）を参照して、制御部１１７Ｂは、第１のディスプレイ１００Ａから第２のモードを指定するための信号を受信する。これによって、図２（ｂ）または図３（ｂ）に示すように、複数のディスプレイ１００Ａ〜１００Ｎは、画面１１４Ａ〜１１４Ｎの全面に、１つの映像を表示する。
【００８２】
＜表示システム１のネットワーク構成＞
ここで、本実施の形態に係る、表示システム１のネットワーク構成について説明する。図６は、本実施の形態に係る表示システム１のネットワーク構成を示すイメージ図である。
【００８３】
図６を参照して、第１のディスプレイ１００Ａ（ＩＤ＝１）の下流ディスプレイインターフェイス１０８Ａは、第２のディスプレイ１００Ｂ（ＩＤ＝２）の上流ディスプレイインターフェイス１０９Ｂに接続される。第２のディスプレイ１００Ｂ（ＩＤ＝２）の下流ディスプレイインターフェイス１０８Ｂは、第３のディスプレイ１００Ｃ（ＩＤ＝３）の上流ディスプレイインターフェイス１０９Ｃに接続される。第３のディスプレイ１００Ｃ（ＩＤ＝３）の下流ディスプレイインターフェイス１０８Ｃは、第４のディスプレイ１００Ｄ（ＩＤ＝４）の上流ディスプレイインターフェイス１０９Ｄに接続される。
【００８４】
なお、第１のディスプレイ１００Ａ（ＩＤ＝１）のＰＣインターフェイス１０９Ａは、表示システム１の管理コンピュータ１５０などに接続されている。表示システム１の管理者は、管理コンピュータ１５０を用いて、ディスプレイ１００Ａ，１００Ｂ，１００Ｃ，１００Ｄを制御することができる。
【００８５】
このように、本実施の形態に係る表示システム１においては、デイジーチェーンが採用されており、管理コンピュータ１５０や第１のディスプレイ１００Ａからの指令が、バケツリレーのように伝達されていく。しかしながら、管理コンピュータ１５０や第１のディスプレイ１００Ａが、他のディスプレイ１００Ｂ〜１００Ｎに直接的に接続されていてもよい。
【００８６】
また、前述したように、たとえば、管理コンピュータ１５０が、マスターディスプレイの役割を果たしてもよい。より詳細には、システムコントローラ１１５Ａが、第１のディスプレイ１００Ａ〜第Ｎのディスプレイ１００Ｎに含まれない場合、管理コンピュータ１５０がシステムコントローラ１１５Ａの役割を担ってもよい。この場合は、第１のディスプレイ１００Ａの構成は、第２のディスプレイ１００Ｂと同様であるため、ここでは説明を繰り返さない。
【００８７】
＜マスターディスプレイの制御＞
以下では、本実施の形態に係る表示システム１に関して、マスターディスプレイである第１のディスプレイ１００Ａにおける処理手順について説明する。図７は、本実施の形態に係る表示システム１における第１のディスプレイ１００Ａにおける処理手順を示す第１のフローチャートである。図８は、本実施の形態に係る表示システム１における第１のディスプレイ１００Ａにおける処理手順を示す第２のフローチャートである。図９は、本実施の形態に係る表示システム１における第１のディスプレイ１００Ａにおける処理手順を示す第３のフローチャートである。
【００８８】
図７から図９を参照して、制御部１１７Ａは、監視用のタイマーをセットする（ステップＳ１０２）。制御部１１７Ａは、表示システム１に含まれるディスプレイ１００Ａ〜１００Ｎの個数ＮｕｍＯｆＭｕｌｔｉが１より大きいか否かを判断する（ステップＳ１０４）。制御部１１７Ａは、表示システム１に含まれるディスプレイ１００Ａ〜１００Ｎの個数ＮｕｍＯｆＭｕｌｔｉが１以下である場合（ステップＳ１０４においてＮＯである場合）、ステップＳ１０２からの処理を繰り返す。
【００８９】
一方、制御部１１７Ａは、表示システム１に含まれるディスプレイ１００Ａ〜１００Ｎの個数ＮｕｍＯｆＭｕｌｔｉが１より大きい場合（ステップＳ１０４においてＹＥＳである場合）、タイマーを参照して、ステップＳ１０２から所定の時間が経過したか否かを判断する（ステップＳ１０６）。制御部１１７Ａは、ステップＳ１０２から所定の時間が経過していない場合（ステップＳ１０６においてＮＯである場合）、ステップＳ１０６からの処理を繰り返す。
【００９０】
制御部１１７Ａは、ステップＳ１０２から所定の時間が経過した場合（ステップＳ１０６においてＹＥＳである場合）、信号変換処理部１０１Ａから、第１のディスプレイ１００Ａに入力された映像信号の解像度を取得する。制御部１１７Ａは、記憶部１１８ＡのＲｅｓｏ＿Ｈ（０）に水平解像度を代入し、Ｒｅｓｏ＿Ｖ（０）に垂直解像度を代入する（ステップＳ１０８）。
【００９１】
制御部１１７Ａは、変数ＷｋＩＤに２を代入する（ステップＳ１１０）。制御部１１７Ａは、変数Ｉｎｄｅｘに１を代入する（ステップＳ１１２）。
【００９２】
制御部１１７Ａは、ディスプレイインターフェイス１０８Ａを用いて、対象となるディスプレイに、解像度を取得するためのコマンドを送信する（ステップＳ１１４）。制御部１１７Ａは、対象となるディスプレイから解像度を受信したか否かを判断する（ステップＳ１１６）。制御部１１７Ａは、対象となるディスプレイから解像度を受信していない場合（ステップＳ１１６においてＮＯである場合）、ステップＳ１１６からの処理を繰り返す。
【００９３】
制御部１１７Ａは、対象となるディスプレイから解像度を受信した場合（ステップＳ１１６においてＹＥＳである場合）、記憶部１１８のＲｅｓｏ＿Ｈ（Ｉｎｄｅｘ）に対象となるディスプレイの水平解像度を代入し、記憶部１１８のＲｅｓｏ＿Ｖ（Ｉｎｄｅｘ）に対象となるディスプレイの垂直解像度を代入する（ステップＳ１１８）。
【００９４】
制御部１１７Ａは、変数ＷｋＩＤをインクリメントする（ステップＳ１２０）。制御部１１７Ａは、変数Ｉｎｄｅｘをインクリメントする（ステップＳ１２２）。制御部１１７Ａは、変数ＷｋＩＤがディスプレイの個数ＮｕｍＯｆＭｕｌｔｉよりも大きいか否かを判断する（ステップＳ１２４）。制御部１１７Ａは、変数ＷｋＩＤがディスプレイの個数ＮｕｍＯｆＭｕｌｔｉ以下である場合（ステップＳ１２４においてＮＯである場合）、ステップＳ１１４からの処理を繰り返す。
【００９５】
一方、制御部１１７Ａは、変数ＷｋＩＤがディスプレイの個数ＮｕｍＯｆＭｕｌｔｉよりも大きい場合（ステップＳ１２４においてＹＥＳである場合）、変数Ｉｎｄｅｘに１を代入する（ステップＳ１２６）。制御部１１７Ａは、記憶部１１８を参照して、Ｒｅｓｏ＿Ｈ（０）＝Ｒｅｓｏ＿Ｈ（Ｉｎｄｅｘ）であるか否かを判断する（ステップＳ１２８）。
【００９６】
制御部１１７Ａは、Ｒｅｓｏ＿Ｈ（０）＝Ｒｅｓｏ＿Ｈ（Ｉｎｄｅｘ）でない場合（ステップＳ１２８においてＮＯである場合）、ディスプレイインターフェイス１０８Ａを用いて、全ディスプレイに拡大表示を解除するための命令（第１のモードを指定するための命令）を送信する（ステップＳ１３０）。制御部１１７Ａは、ステップＳ１０２からの処理を繰り返す。
【００９７】
制御部１１７Ａは、Ｒｅｓｏ＿Ｈ（０）＝Ｒｅｓｏ＿Ｈ（Ｉｎｄｅｘ）である場合（ステップＳ１２８においてＹＥＳである場合）、記憶部１１８を参照して、Ｒｅｓｏ＿Ｖ（０）＝Ｒｅｓｏ＿Ｖ（Ｉｎｄｅｘ）であるか否かを判断する（ステップＳ１３２）。制御部１１７Ａは、Ｒｅｓｏ＿Ｖ（０）＝Ｒｅｓｏ＿Ｖ（Ｉｎｄｅｘ）でない場合（ステップＳ１３２においてＮＯである場合）、ディスプレイインターフェイス１０８Ａを用いて、全ディスプレイに拡大表示を解除するための命令（第１のモードを指定するための命令）を送信する（ステップＳ１３０）。制御部１１７Ａは、ステップＳ１０２からの処理を繰り返す。
【００９８】
ここで、図１０は、第４のディスプレイ１００Ｄの映像の解像度が第１のディスプレイ１００Ａと異なる場合の、複数のディスプレイ１００Ａ，１００Ｂ，１００Ｃ，１００Ｄの画面遷移を示すイメージ図である。ディスプレイ１００Ａ，１００Ｂ，１００Ｃ，１００Ｄが１つの映像を表示している場合に、図１０（ａ）に示すように、第４のディスプレイ１００Ｄに入力される映像信号が変更される場合がある。
【００９９】
すなわち、第４のディスプレイ１００Ｄの解像度のみが、他のディスプレイ１００Ａ，１００Ｂ，１００Ｃのそれと異なる場合がある。このとき、ステップＳ１２８またはステップＳ１３２において、制御部１１７ＡはＮＯと判断する。その結果、図１０（ｂ）に示すように、ディスプレイ１００Ａ，１００Ｂ，１００Ｃ，１００Ｄの各々が、自身に入力された映像信号に基づいて、独立して映像を表示するようになる。
【０１００】
図８および図９に戻って、制御部１１７Ａは、Ｒｅｓｏ＿Ｖ（０）＝Ｒｅｓｏ＿Ｖ（Ｉｎｄｅｘ）である場合（ステップＳ１３２においてＹＥＳである場合）、変数Ｉｎｄｅｘをインクリメントする（ステップＳ１３４）。制御部１１７Ａは、変数Ｉｎｄｅｘがディスプレイの個数ＮｕｍＯｆＭｕｌｔｉ以上であるか否かを判断する（ステップＳ１３６）。制御部１１７Ａは、変数Ｉｎｄｅｘがディスプレイの個数ＮｕｍＯｆＭｕｌｔｉ以上でない場合（ステップＳ１３６においてＮＯである場合）、ステップＳ１２８からの処理を繰り返す。
【０１０１】
制御部１１７Ａは、変数Ｉｎｄｅｘがディスプレイの個数ＮｕｍＯｆＭｕｌｔｉ以上である場合（ステップＳ１３６においてＹＥＳである場合）、記憶部１１８のＰｏｉｎｔ＿Ｒ（０）（０）に測定位置Ａ（４８０，２７０）のＲ（レッド）の輝度値を代入する（ステップＳ１３８）。同様に、制御部１１７Ａは、記憶部１１８のＰｏｉｎｔ＿Ｇ（０）（０）に測定位置Ａ（４８０，２７０）のＧ（グリーン）の輝度値を代入する。また、制御部１１７Ａは、記憶部１１８のＰｏｉｎｔ＿Ｂ（０）（０）に測定位置Ａ（４８０，２７０）のＢ（ブルー）の輝度値を代入する。
【０１０２】
制御部１１７Ａは、変数ＷｋＩＤに２を代入する（ステップＳ１４０）。制御部１１７Ａは、変数Ｉｎｄｅｘに１を代入する（ステップＳ１４２）。
【０１０３】
制御部１１７Ａは、ディスプレイインターフェイス１０８Ａを用いて、対象となるディスプレイに測定位置Ａの画素値を取得するためのコマンドを送信する（ステップＳ１４４）。制御部１１７Ａは、対象とディスプレイから画素値を受信したか否かを判断する（ステップＳ１４６）。制御部１１７Ａは、対象とディスプレイから画素値を受信していない場合（ステップＳ１４６においてＮＯである場合）、ステップＳ１４６からの処理を繰り返す。
【０１０４】
制御部１１７Ａは、対象となるディスプレイから測定位置Ａの画素値を受信した場合（ステップＳ１４６においてＹＥＳである場合）、記憶部１１８のＰｏｉｎｔ＿Ｒ（０）（Ｉｎｄｅｘ）に対象となるディスプレイにおける測定位置Ａ（４８０，２７０）のＲ（レッド）の輝度値を代入する（ステップＳ１４８）。同様に、制御部１１７Ａは、記憶部１１８のＰｏｉｎｔ＿Ｇ（０）（Ｉｎｄｅｘ）に対象となるディスプレイにおける測定位置Ａ（４８０，２７０）のＧ（グリーン）の輝度値を代入する。また、制御部１１７Ａは、記憶部１１８のＰｏｉｎｔ＿Ｂ（０）（Ｉｎｄｅｘ）に測定位置Ａ（４８０，２７０）のＢ（ブルー）の輝度値を代入する。
【０１０５】
制御部１１７Ａは、変数ＷｋＩＤをインクリメントする（ステップＳ１５０）。制御部１１７Ａは、変数Ｉｎｄｅｘをインクリメントする（ステップＳ１５２）。制御部１１７Ａは、変数ＷｋＩＤがディスプレイの個数ＮｕｍＯｆＭｕｌｔｉより大きいか否かを判断する（ステップＳ１５４）。制御部１１７Ａは、変数ＷｋＩＤがディスプレイの個数ＮｕｍＯｆＭｕｌｔｉ以下である場合（ステップＳ１５４においてＮＯである場合）、ステップＳ１４４からの処理を繰り返す。
【０１０６】
制御部１１７Ａは、変数ＷｋＩＤがディスプレイの個数ＮｕｍＯｆＭｕｌｔｉより大きい場合（ステップＳ１５４においてＹＥＳである場合）、変数Ｉｎｄｅｘに１を代入する（ステップＳ１５６）。制御部１１７Ａは、記憶部１１８Ａを参照して、Ｐｏｉｎｔ＿Ｒ（０）（０）とＰｏｉｎｔ＿Ｒ（０）（Ｉｎｄｅｘ）との差異が、２０以下であるか否かを判断する（ステップＳ１５８）。
【０１０７】
制御部１１７Ａは、当該差異が２０よりも大きい場合（ステップＳ１５８においてＮＯである場合）、ディスプレイインターフェイス１０８Ａを用いて、全ディスプレイに拡大表示を解除するための命令（第１のモードを指定するための命令）を送信する（ステップＳ１６０）。制御部１１７Ａは、ステップＳ１０２からの処理を繰り返す。
【０１０８】
制御部１１７Ａは、当該差異が２０以下である場合（ステップＳ１５８においてＹＥＳである場合）、記憶部１１８Ａを参照して、Ｐｏｉｎｔ＿Ｇ（０）（０）とＰｏｉｎｔ＿Ｇ（０）（Ｉｎｄｅｘ）との差異が、２０以下であるか否かを判断する（ステップＳ１６２）。
【０１０９】
制御部１１７Ａは、当該差異が２０よりも大きい場合（ステップＳ１６２においてＮＯである場合）、ディスプレイインターフェイス１０８Ａを用いて、全ディスプレイに拡大表示を解除するための命令（第１のモードを指定するための命令）を送信する（ステップＳ１６０）。制御部１１７Ａは、ステップＳ１０２からの処理を繰り返す。
【０１１０】
制御部１１７Ａは、当該差異が２０以下である場合（ステップＳ１６２においてＹＥＳである場合）、記憶部１１８Ａを参照して、Ｐｏｉｎｔ＿Ｂ（０）（０）とＰｏｉｎｔ＿Ｂ（０）（Ｉｎｄｅｘ）との差異が、２０以下であるか否かを判断する（ステップＳ１６４）。
【０１１１】
制御部１１７Ａは、当該差異が２０よりも大きい場合（ステップＳ１６４においてＮＯである場合）、ディスプレイインターフェイス１０８Ａを用いて、全ディスプレイに拡大表示を解除するための命令（第１のモードを指定するための命令）を送信する（ステップＳ１６０）。制御部１１７Ａは、ステップＳ１０２からの処理を繰り返す。
【０１１２】
制御部１１７Ａは、当該差異が２０以下である場合（ステップＳ１６４においてＹＥＳである場合）、変数Ｉｎｄｅｘをインクリメントする（ステップＳ１６６）。制御部１１７Ａは、変数Ｉｎｄｅｘがディスプレイの個数ＮｕｍＯｆＭｕｌｔｉ以上であるか否かを判断する（ステップＳ１６８）。制御部１１７Ａは、変数Ｉｎｄｅｘがディスプレイの個数ＮｕｍＯｆＭｕｌｔｉ以上でない場合（ステップＳ１６８においてＮＯである場合）、ステップＳ１５８からの処理を繰り返す。
【０１１３】
制御部１１７Ａは、変数Ｉｎｄｅｘがディスプレイの個数ＮｕｍＯｆＭｕｌｔｉ以上である場合（ステップＳ１６８においてＹＥＳである場合）、測定位置Ｂ〜Ｄについて、ステップＳ１３８からの処理を繰り返す（ステップＳ１７０）。すなわち、制御部１１７Ａは、測定位置Ｂ〜ＤにおけるＲＧＢの全てに対応する差異が２０以下であるか否かを判断することになる（ステップＳ１７２）。
【０１１４】
なお、いずれかの測定位置におけるいずれかの色の輝度値の差異が２０を超える場合（ステップＳ１７２においてＮＯである場合）、制御部１１７Ａは、ディスプレイインターフェイス１０８Ａを用いて、全ディスプレイに拡大表示を解除するための命令（第１のモードを指定するための命令）を送信する（ステップＳ１６０）。制御部１１７Ａは、ステップＳ１０２からの処理を繰り返す。
【０１１５】
ここで、図１１は、第２のディスプレイ１００Ｂと第３のディスプレイ１００Ｃの映像が第１のディスプレイ１００Ａと異なる場合の、複数のディスプレイ１００Ａ，１００Ｂ，１００Ｃ，１００Ｄの画面遷移を示すイメージ図である。ディスプレイ１００Ａ，１００Ｂ，１００Ｃ，１００Ｄが１つの映像を表示している場合に、図１１（ａ）に示すように、第２のディスプレイ１００Ｂや第３のディスプレイ１００Ｃに入力される映像信号が変更される場合がある。
【０１１６】
すなわち、第２のディスプレイ１００Ｂの測定位置Ａ，Ｂ，Ｃ，Ｄの画素値が、第１のディスプレイ１００Ａのそれらと異なる場合がある。このとき、ステップＳ１５８、ステップＳ１６２、ステップＳ１６４、またはステップＳ１７２において、制御部１１７ＡがＮＯと判断する。その結果、図１１（ｂ）に示すように、ディスプレイ１００Ａ，１００Ｂ，１００Ｃ，１００Ｄの各々が、自身に入力された映像信号に基づいて、独立して映像を表示するようになる。
【０１１７】
図９に戻って、複数のディスプレイ１００Ａ，１００Ｂ，１００Ｃ，１００Ｄ間の測定位置Ｂ〜ＤにおけるＲＧＢの全てに対応する差異が２０以下である場合（ステップＳ１７２においてＹＥＳである場合）、制御部１１７Ａは、ディスプレイインターフェイス１０８Ａを用いて、全ディスプレイに拡大表示するための命令（第２のモードを指定するための命令）を送信する（ステップＳ１７４）。
【０１１８】
第１のディスプレイ１００Ａにおいては、制御部１１７Ａは、ディスプレイの個数ＮｕｍＯｆＭｕｌｔｉの平方根を計算することによって、拡大倍率を計算する（ステップＳ１７６）。制御部１１７Ａは、各ディスプレイ１００Ａ，１００Ｂ，１００Ｄ，１００ＤのＩＤと、表示システム１に含まれるディスプレイの個数ＮｕｍＯｆＭｕｌｔｉとに基づいて、水平方向の画像の開始位置や、垂直方向の画像の開始位置を計算する。
【０１１９】
たとえば、３×３の表示システム（９個のディスプレイを含む。）においては、制御部１１７Ａは、以下の式（１）に基づいて、水平方向の画像の開始位置を計算する（ステップＳ１７８）。
【０１２０】
水平方向の画像の開始位置＝（１９２０／拡大倍率）×（（ＩＤ−１）／拡大倍率の剰余）…（１）
制御部１１７Ａは、以下の式（２）に基づいて、垂直方向の画像の開始位置を計算する（ステップＳ１８０）。
【０１２１】
垂直方向の画像の開始位置＝（１０８０／拡大倍率）×（（ＩＤ−１）／拡大倍率）…（２）
制御部１１７Ａは、映像出力処理部１１３Ａに拡大倍率と、水平方向開始位置と、垂直方向開始位置を示す情報を送信する。第１の画面１１４Ａは、映像信号に基づいて映像の左上部を拡大表示する。
【０１２２】
ここで、図１２は、第１〜第４のディスプレイ１００Ａ，１００Ｂ，１００Ｃ，１００Ｄの映像が全て同じである場合の、複数のディスプレイ１００Ａ，１００Ｂ，１００Ｃ，１００Ｄの画面遷移を示すイメージ図である。図１２（ａ）に示すように、ディスプレイ１００Ａ，１００Ｂ，１００Ｃ，１００Ｄの各々が１つの映像を表示しており、それらの映像が全て同じ映像信号に基づく場合がある。
【０１２３】
このとき、ステップＳ１７２において、制御部１１７ＡはＹＥＳと判断する。その結果、図１２（ｂ）に示すように、ディスプレイ１００Ａ，１００Ｂ，１００Ｃ，１００Ｄは、自身に入力された映像信号に基づいて、全体として、１つの大きな映像を表示するようになる。
【０１２４】
＜スレーブディスプレイの制御＞
以下では、本実施の形態に係る表示システム１に関して、スレーブディスプレイである第２のディスプレイ１００Ｂにおける処理手順について説明する。図１３は、本実施の形態に係る表示システム１における第２のディスプレイ１００Ｂにおける処理手順を示すフローチャートである。
【０１２５】
なお、第３のディスプレイ１００Ｃや第４のディスプレイ１００Ｄにおける処理手順は、第２のディスプレイ１００Ｂのそれと同様であるため、ここでは説明を繰り返さない。また、システムコントローラ１１５Ａが、第１のディスプレイ１００Ａ〜第Ｎのディスプレイ１００Ｎに含まれない場合における、第１のディスプレイ１００Ａの処理手順も、第２のディスプレイ１００Ｂのそれと同様であるため、ここでは説明を繰り返さない。
【０１２６】
図１３を参照して、制御部１１７Ｂは、下流ディスプレイインターフェイス１０８Ｂを介して、下流のディスプレイからデータを受信したか否かを判断する（ステップＳ２０２）。制御部１１７Ｂは、下流のディスプレイからデータを受信した場合（ステップＳ２０２においてＹＥＳである場合）、上流ディスプレイインターフェイス１０９Ｂを介して、当該データを上流側のディスプレイに転送する（ステップＳ２０４）。たとえば、第２のディスプレイ１００Ｂは、第３のディスプレイ１００Ｃから受信したデータを、第１のディスプレイ１００Ａへと転送する。制御部１１７Ｂは、ステップＳ２０２からの処理を繰り返す。
【０１２７】
制御部１１７Ｂは、下流のディスプレイからデータを受信しなかった場合（ステップＳ２０２においてＮＯである場合）、上流ディスプレイインターフェイス１０９Ｂを介して、第１のディスプレイ１００Ａからのデータを受信したか否かを判断する（ステップＳ２０６）。制御部１１７Ｂは、第１のディスプレイ１００Ａからのデータを受信しなかった場合（ステップＳ２０６においてＮＯである場合）、ステップＳ２０２からの処理を繰り返す。
【０１２８】
制御部１１７Ｂは、上流ディスプレイインターフェイス１０９Ｂを介して、第１のディスプレイ１００Ａからのデータを受信した場合（ステップＳ２０６においてＹＥＳである場合）、当該データが他のディスプレイに対する命令であるか否かを判断する（ステップＳ２０８）。制御部１１７Ｂは、当該データが他のディスプレイに対する命令である場合（ステップＳ２０８においてＹＥＳである場合）、下流ディスプレイインターフェイス１０８Ｂを介して、第１のディスプレイ１００Ａから受信したデータを下流のディスプレイに転送する（ステップＳ２１０）。制御部１１７Ｂは、ステップＳ２０２からの処理を繰り返す。
【０１２９】
制御部１１７Ｂは、当該データが他のディスプレイに対する命令でない場合（ステップＳ２０８においてＮＯである場合）、当該データが解像度を取得するための命令であるか否かを判断する（ステップＳ２１２）。制御部１１７Ｂは、当該データが解像度を取得するための命令である場合（ステップＳ２１２においてＹＥＳである場合）、入力されている映像信号に基づいて、解像度を取得する。制御部１１７Ｂは、上流ディスプレイインターフェイス１０９Ｂを用いて、解像度を第１のディスプレイ１００Ａに送信する（ステップＳ２１４）。制御部１１７Ｂは、ステップＳ２０２からの処理を繰り返す。
【０１３０】
制御部１１７Ｂは、当該データが解像度を取得するための命令でない場合（ステップＳ２１２においてＮＯである場合）、当該データが画素値を取得するための命令であるか否かを判断する（ステップＳ２１６）。制御部１１７Ｂは、当該データが画素値を取得するための命令である場合（ステップＳ２１６においてＹＥＳである場合）、入力されている映像信号に基づいて、測定位置Ａ，Ｂ，Ｃ，Ｄにおける画素値を取得する。制御部１１７Ｂは、上流ディスプレイインターフェイス１０９Ｂを用いて、測定位置Ａ，Ｂ，Ｃ，Ｄの画素値を第１のディスプレイ１００Ａに送信する（ステップＳ２１８）。制御部１１７Ｂは、ステップＳ２０２からの処理を繰り返す。
【０１３１】
制御部１１７Ｂは、当該データが画素値を取得するための命令でない場合（ステップＳ２１６においてＮＯである場合）、当該データが拡大表示を解除するための命令（第１のモードを指定するための命令）であるか否かを判断する（ステップＳ２２０）。制御部１１７Ｂは、当該データが拡大表示を解除するための命令である場合（ステップＳ２２０においてＹＥＳである場合）、映像出力処理部１１３Ｂに拡大表示を解除するための命令を受け渡す（ステップＳ２２２）。制御部１１７Ｂは、ステップＳ２０２からの処理を繰り返す。
【０１３２】
制御部１１７Ｂは、当該データが拡大表示を解除するための命令でない場合（ステップＳ２２０においてＮＯである場合）、当該データが拡大表示するための命令（第２のモードを指定するための命令）であるか否かを判断する（ステップＳ２２４）。制御部１１７Ｂは、当該データが拡大表示するための命令である場合（ステップＳ２２４においてＹＥＳである場合）、映像出力処理部１１３Ｂに拡大表示するための命令を受け渡す（ステップＳ２２６）。制御部１１７Ｂは、ステップＳ２０２からの処理を繰り返す。
【０１３３】
＜通常の表示システムとの比較＞
以下では、本実施の形態に係る表示システム１と通常の表示システムとの違いについて説明する。図１４は、通常の表示システムを示すイメージ図である。
【０１３４】
図１４を参照して、通常の表示システムに関しても、複数のディスプレイ２００Ａ，２００Ｂ，２００Ｃ，２００Ｄが隣り合わせに（マトリクス状に）設置される。複数のディスプレイ２００Ａ，２００Ｂ，２００Ｃ，２００Ｄは、それぞれ、管理コンピュータ２５０Ａ，２５０Ｂ，２５０Ｃ，２５０Ｄによって制御される。つまり、複数のディスプレイ２００Ａ，２００Ｂ，２００Ｃ，２００Ｄは、管理コンピュータから入力された映像信号をそのまま表示するものである。
【０１３５】
図１４（ａ）に示すように、通常の表示システムにおいては、管理コンピュータ２５０Ａ，２５０Ｂ，２５０Ｃ，２５０Ｄの各々が、対応するディスプレイ２００Ａ，２００Ｂ，２００Ｃ，１００Ｄに１つの映像を送信する。これによって、ディスプレイ２００Ａ，２００Ｂ，２００Ｃ，１００Ｄの各々は、他のディスプレイとは異なる映像を表示することができる。
【０１３６】
一方、図１４（ｂ）に示すように、ディスプレイ２００Ａ，２００Ｂ，２００Ｃ，１００Ｄが、全体として１つの映像を表示する場合には、管理コンピュータ２５０Ａ，２５０Ｂ，２５０Ｃ，２５０Ｄの各々が、対応するディスプレイ２００Ａ，２００Ｂ，２００Ｃ，１００Ｄに、１つの映像の一部分のみを送信する、あるいは、１つの映像の一部分のみを表示するためのコマンドを送信する必要がある。
【０１３７】
たとえば、映像を拡大表示する場合には、ユーザは、リモコンなどを使用して、ディスプレイ２００Ａ，２００Ｂ，２００Ｃ，１００Ｄに対して、以下のような設定を行う必要がある。
【０１３８】
ユーザは、ディスプレイ２００Ａの拡大表示設定をＯＮする。そして、ユーザは、リモコンを介して、ディスプレイ２００Ａには、映像を４分割した左上部分を拡大して表示する旨のコマンドを送信する必要がある。
【０１３９】
ユーザは、ディスプレイ２００Ｂの拡大表示設定をＯＮする。そして、ユーザは、リモコンを介して、ディスプレイ２００Ｂには、映像を４分割した右上部分を拡大して表示する旨のコマンドを送信する必要がある。
【０１４０】
ユーザは、ディスプレイ２００Ｃの拡大表示設定をＯＮする。そして、ユーザは、リモコンを介して、ディスプレイ２００Ｃには、映像を４分割した左下部分を拡大して表示する旨のコマンドを送信する必要がある。
【０１４１】
ユーザは、ディスプレイ２００Ｄの拡大表示設定をＯＮする。そして、ユーザは、リモコンを介して、ディスプレイ２００Ｄには、映像を４分割した右下部分を拡大して表示する旨のコマンドを送信する必要がある。
【０１４２】
逆に、映像を拡大表示しない場合には、ユーザは、リモコンなどを使用して、ディスプレイ２００Ａ，２００Ｂ，２００Ｃ，１００Ｄに対して、拡大表示設定をＯＦＦするためのコマンドを送信する必要がある。
【０１４３】
本実施の形態に係る表示システム１は、測定位置Ａ，Ｂ，Ｃ，Ｄの画素値が、当該複数のディスプレイ１００Ａ，１００Ｂ，１００Ｃ，１００Ｄ間で同じである場合に、複数のディスプレイ全体で１つの映像を拡大して表示する。表示システム１は、測定位置Ａ，Ｂ，Ｃ，Ｄの画素値が、当該複数のディスプレイ１００Ａ，１００Ｂ，１００Ｃ，１００Ｄ間で同じでない場合に、複数のディスプレイ１００Ａ，１００Ｂ，１００Ｃ，１００Ｄのそれぞれに、他のディスプレイとは独立して映像を表示させる。その結果、複数のディスプレイ１００Ａ，１００Ｂ，１００Ｃ，１００Ｄのユーザ（管理者）は、表示される映像を確認することによって、上記のいずれの表示モードによって映像を表示することが好ましいかを判断したり、表示モードを設定したり切り替えたりする必要が無くなる。
【０１４４】
＜その他の実施の形態＞
本発明は、システム（表示システム１）或いは装置（表示システム１）にプログラムを供給することによって達成される場合にも適用できることはいうまでもない。そして、本発明を達成するためのソフトウェアによって表されるプログラムを格納した記憶媒体を、システム或いは装置に供給し、そのシステム或いは装置のコンピュータ（又はＣＰＵやＭＰＵ）が記憶媒体に格納されたプログラムコードを読出し実行することによっても、本発明の効果を享受することが可能となる。
【０１４５】
この場合、記憶媒体から読出されたプログラムコード自体が前述した実施の形態の機能を実現することになり、そのプログラムコードを記憶した記憶媒体は本発明を構成することになる。
【０１４６】
プログラムコードを供給するための記憶媒体としては、例えば、ハードディスク、光ディスク、光磁気ディスク、ＣＤ−ＲＯＭ、ＣＤ−Ｒ、磁気テープ、不揮発性のメモリカード（ＩＣメモリカード）、ＲＯＭ（マスクＲＯＭ、フラッシュＥＥＰＲＯＭなど）などを用いることができる。
【０１４７】
また、コンピュータが読出したプログラムコードを実行することにより、前述した実施の形態の機能が実現されるだけでなく、そのプログラムコードの指示に基づき、コンピュータ上で稼動しているＯＳ（オペレーティングシステム）などが実際の処理の一部または全部を行い、その処理によって前述した実施の形態の機能が実現される場合も含まれることは言うまでもない。
【０１４８】
さらに、記憶媒体から読み出されたプログラムコードが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵなどが実際の処理の一部または全部を行い、その処理によって前述した実施の形態の機能が実現される場合も含まれることは言うまでもない。
【０１４９】
今回開示された実施の形態はすべての点で例示であって制限的なものではないと考えられるべきである。本発明の範囲は、上記した説明ではなく、特許請求の範囲によって示され、特許請求の範囲と均等の意味および範囲内でのすべての変更が含まれることが意図される。
【符号の説明】
【０１５０】
１  表示システム、１００Ａ−１００Ｎ  ディスプレイ、Ａ，Ｂ，Ｃ，Ｄ  測定位置、１０１  信号変換処理部、１０８，１０９  インターフェイス、１１１  映像入力端子、１１２  映像入力処理部、１１３  映像出力処理部、１１４Ａ−１１４Ｎ  画面、１１５Ａ  システムコントローラ、１１５Ｂ  第２のコントローラ、１１６，１２６  通信部、１１７  制御部、１１８  記憶部、１２７  位置設定部、１２９  拡大部、１５０  管理コンピュータ。
【図１】
2011221229.tif 000003
【図２】
2011221229.tif 000004
【図３】
2011221229.tif 000005
【図４】
2011221229.tif 000006
【図５】
2011221229.tif 000007
【図６】
2011221229.tif 000008
【図７】
2011221229.tif 000009
【図８】
2011221229.tif 000010
【図９】
2011221229.tif 000011
【図１０】
2011221229.tif 000012
【図１１】
2011221229.tif 000013
【図１２】
2011221229.tif 000014
【図１３】
2011221229.tif 000015
【図１４】
2011221229.tif 000016